(57)【特許請求の範囲】
【請求項１】
複数のクライアント端末とサーバとがネットワーク接続されたネットワークシステムにおける運用エラー情報の一括印刷方法において、
前記複数の各クライアント端末が、前記サーバに、データベースの参照及び更新処理を依頼し、前記依頼した処理の運用エラーを前記各クライアント端末のネットワーク上で公開できるエラーログファイルに格納するステップと、
いずれの前記クライアント端末も集信及び印刷機能を有する前記複数のクライアント端末の内、何れか一つのクライアント端末が、前記ネットワークを介し他のクライアント端末と自己のクライアント端末の前記エラーログファイルを集信するステップと、
前記集信したクライアント端末が、前記集信したエラーログファイルから印刷ファイルを作成し、接続された印刷装置で、印刷するステップとを有する
ことを特徴とする運用エラー情報の一括印刷方法。
【請求項２】
前記印刷が正常終了した時に、前記集信した各クライアント端末の前記エラーログファイルに印刷済みを設定するステップを更に有する
ことを特徴とする請求項１の運用エラー情報の一括印刷方法。
【請求項３】
前記集信ステップは、前記印刷済みが設定されたエラーログファイルを除いて、前記他のクライアント端末のエラーログファイルを集信するステップからなる
ことを特徴とする請求項２の運用エラー情報の一括印刷方法。
【請求項４】
複数のクライアント端末とサーバとがネットワーク接続されたネットワークシステムにおいて、
各クライアント端末は、
前記サーバに、データベースの参照及び更新処理を依頼した前記処理の運用エラーを格納するネットワーク上で公開できるエラーログファイルと、
前記クライアント端末が、前記ネットワークを介し集信した他のクライアント端末と自己のクライアント端末の前記エラーログファイルから作成した印刷ファイルとを有し、
前記複数のクライアント端末の内、何れか一つのクライアント端末が、前記ネットワークを介し他のクライアント端末と自己のクライアント端末の前記エラーログファイルを集信し、前記集信したエラーログファイルから印刷ファイルを作成し、接続された印刷装置で、印刷する
ことを特徴とするネットワークシステム。
【請求項５】
前記クライアント端末は、印刷が正常終了した時に、前記集信した各クライアント端末の前記エラーログファイルに印刷済みを設定する
ことを特徴とする請求項４のネットワークシステム。
【発明の詳細な説明】
【技術分野】
【０００１】
本発明は、サーバと多数のクライアントとがネットワークで接続されたシステムにおいて、各クライアントの有する運用エラー情報を一括して印刷するための運用エラー情報の一括印刷方法及びこれを用いたネットワークシステムに関する。
【背景技術】
【０００２】
サーバとクライアントとがネットワークで接続され、クライアントの依頼に応じて、サーバが処理を行い、クライアントに応答するシステムが利用されている。このようなシステムにおいては、クライアントやサーバの処理の際に発生するログ／エラーログ等の運用エラー情報は、サーバ／クライアントにそれぞれ存在する。
【０００３】
これらの運用エラー情報は、各クライアントによるシステムの運用状態を把握するのに有効であり、クライアントの運用エラー情報を所定周期で、印刷し、運用状態の把握に供する。通常、運用エラー情報の印刷は、自己のクライアントの処理分や、サーバの処理分を印刷することが一般的である。
【０００４】
この方法では、クライアントやサーバが複数存在する場合には、印刷するためのクライアントやサーバ毎に、印刷オペレーションする必要があるため、オペレータの作業が煩雑となる。
【０００５】
このようなネットワークに接続された複数機器に存在する動作エラーのログを印刷する方法として、従来、ネットワークに遠隔監視端末を設け、遠隔監視端末で、各機器のエラーログを収集し、一括して、印刷することが提案されている（例えば、特許文献１参照）。
【特許文献１】特開平４−３５９３４６号公報（図１）
【発明の開示】
【発明が解決しようとする課題】
【０００６】
この従来の方法は、システムの特定の監視端末が、ネットワーク上のログファイルを集めて、一括印刷するため、専用の監視端末を必要とするという問題が生じる。このため、ネットワーク上に、通常オペレータが操作するクライアントの他に、監視端末を設ける必要があり、システム構築費用、設置場所を余分に要する。
【０００７】
又、例えば、多数のクライアントやサーバで構築された大規模ネットワークシステムでは、システムが、複数のフロアや、複数の建屋（ビル）に分散することがある。このようなシステムの場合に、通常のオペレータが、一括印刷するためには、専用の監視端末のある場所まで、フロア移動、ビル移動して、監視端末を操作する必要があり、オペレータの負担が大きく、面倒であり、操作忘れ等が生じるおそれがある。
【０００８】
従って、本発明の目的は、ネットワーク上のクライアントの操作で、各クライアントの運用エラー情報の一括印刷を実現するための運用エラー情報の一括印刷方法及びネットワークシステムを提供することにある。
【０００９】
又、本発明の他の目的は、一括印刷のために、特別の監視端末を設けることなく、各クライアントの運用エラー情報の一括印刷を実現するための運用エラー情報の一括印刷方法及びネットワークシステムを提供することにある。
【００１０】
更に、本発明の他の目的は、大規模なネットワークシステムでも、最寄りのクライアントの操作で、各クライアントの運用エラー情報の一括印刷を実現するための運用エラー情報の一括印刷方法及びネットワークシステムを提供することにある。
【課題を解決するための手段】
【００１１】
この目的の達成のため、本発明は、複数のクライアント端末とサーバとがネットワーク接続されたネットワークシステムにおける運用エラー情報の一括印刷方法において、前記複数の各クライアント端末が、前記サーバに、データベースの参照及び更新処理を依頼し、前記依頼した処理の運用エラーを前記各クライアント端末のネットワーク上で公開できるエラーログファイルに格納するステップと、いずれの前記クライアント端末も集信及び印刷機能を有する前記複数のクライアント端末の内、何れか一つのクライアント端末が、前記ネットワークを介し他のクライアント端末と自己のクライアント端末の前記エラーログファイルを集信するステップと、前記集信したクライアント端末が、前記集信したエラーログファイルから印刷ファイルを作成し、接続された印刷装置で、印刷するステップとを有する。
【００１２】
又、本発明は、複数のクライアント端末とサーバとがネットワーク接続されたネットワークシステムにおいて、各クライアント端末は、前記サーバに、データベースの参照及び更新処理を依頼した前記処理の運用エラーを格納するネットワーク上で公開できるエラーログファイルと、前記クライアント端末が、前記ネットワークを介し集信した他のクライアント端末と自己のクライアント端末の前記エラーログファイルから作成した印刷ファイルとを有し、前記複数のクライアント端末の内、何れか一つのクライアント端末が、前記ネットワークを介し他のクライアント端末と自己のクライアント端末の前記エラーログファイルを集信し、前記集信したエラーログファイルから印刷ファイルを作成し、接続された印刷装置で、印刷する。
【００１３】
更に、本発明は、好ましくは、前記印刷が正常終了した時に、前記集信した各クライアント端末の前記エラーログファイルに印刷済みを設定するステップを更に有する。
【００１４】
更に、本発明は、好ましくは、前記集信ステップは、前記印刷済みが設定されたエラーログファイルを除いて、前記他のクライアント端末のエラーログファイルを集信するステップからなる。
【００１５】
更に、本発明は、好ましくは、前記集信ステップは、前記クライアント端末がネットワーク接続できない他のクライアント端末を除いて、ネットワーク接続できた他のクライアント端末のエラーログファイルを集信するステップからなる。
【００１６】
更に、本発明は、好ましくは、前記集信ステップは、前記クライアント端末に設けた管理テーブルに、前記ネットワーク接続できたクライアント端末を登録し、且つ前記管理テーブルを参照して、前記ネットワーク接続できたクライアント端末のエラーログファイルを集信するステップからなる。
【００１７】
更に、本発明は、好ましくは、前記集信ステップは、前記管理テーブルに、前記エラーログファイルを集信できた他のクライアント端末を登録するステップを更に有し、前記印刷が正常終了した時に、前記管理テーブルを参照して、前記集信した各クライアント端末の前記エラーログファイルに印刷済みを設定するステップを更に有する。
【００１８】
更に、本発明は、好ましくは、前記クライアント端末は、処理開始画面の起動により、自己のエラーログファイルが印刷済みかを判定し、前記エラーログファイルの印刷を促すステップを更に有する。
【００１９】
更に、本発明は、好ましくは、前記クライアント端末は、処理開始画面の起動により、前記ネットワークに接続された全クライアント端末のエラーログファイルが印刷済みかを判定し、前記エラーログファイルの印刷を促すステップを更に有する。
【００２０】
更に、本発明は、好ましくは、前記クライアント端末は、処理終了画面の選択により、自己のエラーログファイルが印刷済みかを判定し、前記エラーログファイルの印刷を促すステップを更に有する。
【００２１】
更に、本発明は、好ましくは、前記クライアント端末は、処理終了画面の選択により、前記ネットワークに接続された全クライアント端末のエラーログファイルが印刷済みかを判定し、前記エラーログファイルの印刷を促すステップを更に有する。
【００２２】
更に、本発明は、好ましくは、前記格納ステップは、前記クライアント端末が、前記サーバにデータベースの更新依頼した更新エラーを前記エラーログファイルに格納するステップからなる。
【発明の効果】
【００２３】
本発明では、特別の監視端末を設けることなく、ネットワーク上の最寄りのクライアントから各クライアントの運用情報の一括印刷を実現でき、システム管理者等のオペレータの移動を必要としないため、オペレータの負担を軽減するとともに、印刷忘れを防止するのに有効である。
【００２４】
特に、データベースの更新において、更新エラーを放置しておくと、データベースの信頼性が低下するため、更新エラーの確実で的確な印刷は、更新エラーの原因の早期究明に有効である。
【発明を実施するための最良の形態】
【００２５】
以下、本発明の実施の形態を、ネットワークシステム、第１の実施の形態、第２の実施の形態、第３の実施の形態、他の実施の形態の順で説明するが、本発明は、この実施の形態に限られない。
【００２６】
［ネットワークシステム］
図１は、本発明のネットワークシステムの一実施の形態の構成図、図２は、図１の一括印刷時の運用ファイル及び印刷ファイルの構成図、図３は、図１の一括印刷後の動作説明図である。
【００２７】
図１のネットワークシステムの例は、銀行、証券、保険等の業務に必要な印鑑データベースシステムを示す。図１に示すように、印鑑データベースシステムは、印鑑データベースサーバ１４，１６、ネットワークサーバ２４と各クライアント端末１０，１１，１２，１３，２０，２２とは、ネットワーク（ＬＡＮ１８，２８，ＷＡＮ３等）で接続され、印鑑データベースサーバ１４，１６に、複数のクライアント端末１０〜１３、２０，２２からデータベース更新を行う。
【００２８】
クライアント端末は、例えば、パーソナルコンピュータと同様の構成を有する。即ち、図１のように、データ処理ユニット、デイスプレイユニット、キーボード、マウス、記憶ユニット等で構成される。
【００２９】
複数のクライアント端末１０〜１３，２０，２２は、相手先複数のデータベースサーバ１４，１６の印鑑データベースのデータを日々更新する。データベースを更新した際に発生するログ／エラーログは、クライアント端末１０〜１３，２０，２２にそれぞれ存在することとなる。
【００３０】
図１を具体的に説明すると、センタＡ（１）は、ＬＡＮ（Ｌｏｃａｌ
Ａｒｅａ  Ｎｅｔｗｏｒｋ）１８に、クライアント端末１０から１３と、印鑑データベースサーバ１４，１６とが接続されている。又、センタＢ（２）は、ＬＡＮ２８に、クライアント端末２０，２２と、ネットワークサーバ２４、プリンタ（印刷装置）２６とが接続されている。
【００３１】
センタＡ（１）とセンタＢ（２）は、例えば、別のフロアや別のビルに設けられており、インターネット等のＷＡＮ（Ｗｏｒｌｄ  Ａｒｅａ
Ｎｅｔｗｏｒｋ）３で接続されている。
【００３２】
印鑑データベースサーバ１４，１６は、印鑑や署名をデータベースとして、分散所有し、クライアント端末１０〜１３，２０，２２は、このデータベースの更新を行う。
【００３３】
このクライアント端末１０〜１３、２０，２２によるデータベースの更新処理を説明する。先ず、この印鑑データベースシステムは、図示しない金融機関のオンラインシステムに組み込まれる。具体的には、ホストコンピュータと営業店システムとからなるオンラインシステムにおいて、印鑑データベースシステムは、営業店システムに接続され、営業店システムからのアクセスで、印鑑データベースの参照が行われる。
【００３４】
ホストコンピュータは、金融機関の統合等による支店の統廃合により、口座番号の変更、支店名の変更等の移管処理を行い、ホストコンピュータの管理データを更新する。一方、印鑑データベースシステムでも、これに合わせて、口座番号の変更、支店名の変更、印鑑イメージの再登録等を行う必要がある。
【００３５】
このため、図示しないホストコンピュータは、当日又は複数日毎に、処理すべき印鑑データベースへの移管処理内容（登録、更新）のリストを記録した媒体（磁気テープ、フロッピー（登録商標）デイスク等）を作成する。この時点で、ホストコンピュータのデータベース管理情報は、更新されている。
【００３６】
一方、オペレータは、この媒体をクライアント端末１０〜１３、２０、２２にセットし、媒体の処理内容を読み出し、画面参照して、データベース１４、１６への登録、更新操作を実行する。
【００３７】
ここで、クライアント端末には、ホストコンピュータからのデータと印鑑データベースシステムのデータとの整合性が合わない場合に、運用上の情報（エラー情報という）が、クライアント端末に通知され、ログされる。即ち、データベースを更新できなかった処理結果をリストとしてログする。具体的には、ホストの指定した更新すべき印鑑データが無かった場合や、更新済みの印鑑データであった場合等に、その内容をリストとしてログする。
【００３８】
この整合性エラーの原因は、このクライアント端末のオペレータが判断できないため、エラーログの内容を印刷し、金融機関の営業店に通知し、原因の究明に供する。
【００３９】
このクライアントのエラーログの一括印刷を実現するため、この全クライアント端末１０〜１３，２０，２２は、印刷対象となるログ／エラーログファイルを、ネットワーク上に公開（共有）する。即ち、他のクライアントからのアクセスを許可する。
【００４０】
そして、あるクライアント端末２２から“全クライアントログ印刷”を選択すると（１）、登録されているクライアントのログ／エラーログをネットワーク１８，３，２８を介しコピー（集信）し（２）、印刷用マージファイル３２を作成し（３）、印刷用マージファイル３２をプリンタ２６で印刷し（４）、全クライアントログ印刷を実施する。そして、印刷されたクライアント端末に、印刷済みを設定する（５）。
【００４１】
更に、印刷済みのログ／エラーログは、集信せずに、読み飛ばす機能を付与し、且つ対象となるクライアントの電源がＯＦＦ等で集信できない場合は、対象クライアントを除いて処理を継続する機能を付与する。
【００４２】
このように、通常、オペレータが操作する１台のクライアントからまとめて印刷できるため、オペレータの負荷を大幅に軽減でき、且つオペレータ作業ミス（漏れ）の防止も期待できる。
【００４３】
図２は、図１のエラーログ印刷ファイル構成図、図３は、その動作説明図である。図２に示すように、各クライアント端末１０、２２、２０のサーバ用作業フォルダ１００、２２０、２００には、サーバへの依頼結果及び処理結果が、ログされる。この作業フォルダ１００、２２０、２００には、サーバへの依頼結果でエラーを返答されたエラー内容をログするエラーログテンポラリファイルErr.tmp４０、４２、４４が設けられている。
【００４４】
図２に示すように、クライアント端末２２から各クライアント端末１０、２２、２０にエラーログ印刷の要求があった場合、各クライアント端末１０、２２、２０のサーバ用の作業フォルダ１００、２２０、２００に存在するErr.tmpファイル４０、４２、４４を、印刷指示したクライアント端末２２の共有フォルダ直下のErr．Outファイル３２に集め、纏める。
【００４５】
クライアント端末２２は、その纏められたファイル３２を参照し、プリンタ２６にて、エラーログの印刷を行う。エラーログ印刷後は、Err.tmpファイル４０、４２、４４、Err.outファイル３２に設けたエラーログ印刷フラグのビットを立てる。印刷済み、未済の管理は、上記エラーログ印刷フラグで管理する。
【００４６】
図２に示すように、印刷指示したクライアント端末２２は、エラーログ中間ファイルErr.out３２と、管理テーブル３４を作成し、管理テーブル３４に、各クライアント端末（号機）毎に、エラーログ印刷フラグを設ける。エラーログ印刷フラグの初期値は「0」とする。エラーログ印刷を実行したらエラーログ印刷フラグを立てる。
【００４７】
そして、図３に示すように、一活印刷終了後は、印刷指示したクライアント端末２２が、エラーログ中間ファイル（印刷ファイル）Err.outを削除し、次に、印刷済みのクライアント端末１０、２２、２０のエラーログファイルErr.tempの印刷済みフラグをオン（1=印刷済）とする。
【００４８】
このようにして、あるクライアント端末から“全クライアントログ印刷”を行うことにより、全クライアントの公開されたエラーログファイルからログ／エラーログの集信を行う。そして、集信時に、印刷用マージファイル３２を作成する。尚、印刷済みログ／エラーログはマージしない。
【００４９】
印刷用ファイル３２の印刷完了後、集信済みクライアント端末に対して印刷済みを設定し、印刷ファイル３２を削除する。又、印刷中断の場合も削除とし、再印刷の場合は、再度集信する。
【００５０】
このように、一括印刷のために、特別の監視端末を設けることなく、ネットワーク上の最寄りのクライアントから各クライアントの運用情報の一括印刷を実現でき、システム管理者等のオペレータの移動を必要としないため、オペレータの負担を軽減するとともに、印刷忘れを防止するのに有効である。
【００５１】
特に、データベースの更新において、更新エラーを放置しておくと、データベースの信頼性が低下するため、更新エラーの確実で的確な印刷は、更新エラーの原因の早期究明に有効である。
【００５２】
［一括印刷処理の第１の実施の形態］
次に、前述の図１乃至図３の構成における一括印刷処理の第１の実施の形態を説明する。図４は、本発明の第１の実施の形態の一括印刷処理フロー図である。
【００５３】
（Ｓ１０）クライアント端末（図２では、２２）は、一括印刷指示に応じて、各クライアント端末とネットワーク接続する。ネットワーク接続できれば、接続管理テーブル３４（図２参照）の対象号機のフラグをオンする。一方、ネットワーク接続できない場合（例えば、該当クライアント端末の電源がオフである等）には、接続管理テーブル３４の対象号機のフラグをオフとし、エラーイベントを画面に出力する。
【００５４】
（Ｓ１２）次に、クライアント端末２２は、接続されたクライアント端末（自端末を含む）１０、２２、２０のサーバ用の作業フォルダ１００、２２０、２００の印刷未のErr.tmpファイル４０、４２、４４を、印刷指示したクライアント端末２２の共有フォルダにコピーする。コピーしたファイル名は、Err1.temp/Err2.temp/Err3.tempとする。そして、接続管理テーブル３４（図２参照）の内、コピーできたものをオンを保持し、他は、オフとする。
【００５５】
（Ｓ１４）クライアント端末２２は、共有フォルダのコピーしたファイル名Err1.temp/Err2.temp/Err3.tempのファイルをマージ（纏め）し、出力ファイルErr．Outファイル３２を作成する。そして、この出力ファイルErr.outのデータをソートする。即ち、項目をキーに従い、順番に並べる。例えば、前述の印鑑データベースの更新では、移管先店番をキーとして、ソートする。又、エラー内容（該当データ無し、該当データ更新済み等）をキーとして、ソートしても良い。
【００５６】
（Ｓ１６）クライアント端末２２は、プリンタ２６に、出力ファイル３２の印刷を指示し、プリンタ２６にて、エラーログの印刷を行う。クライアント端末２２は、プリンタ２６からの応答により、正常印刷終了したかを判定する。
【００５７】
（Ｓ１８）エラーログが正常印刷終了すると、接続管理テーブル３４を参照し、収集したクライアント端末１０，２２，２０のErr.tmpファイル４０、４２、４４に設けたエラーログ印刷フラグのビットを「１」に立て、印刷済みとする。そして、ステップＳ２２に進む。
【００５８】
（Ｓ２０）一方、エラーログの印刷が正常終了しない場合には、収集したクライアント端末１０，２２，２０のErr.tmpファイル４０、４２、４４に設けたエラーログ印刷フラグのビットを「０」のままとし、印刷済みにしない。更に、クライアント端末２２は、エラーイベントを採取して、ステップＳ２２に進む。
【００５９】
（Ｓ２２）そして、クライアント端末２２は、Err.outファイル３２及びErr1.temp/Err2.temp/Err3.tempのファイルを共有フォルダから削除し、終了する。
【００６０】
このように、クライアント端末は、一括印刷処理を行う際に、印刷済みのログ／エラーログは、集信せずに、読み飛ばし、且つ対象となるクライアントの電源がＯＦＦ等で集信できない場合は、対象クライアントを除いて処理を継続する。
【００６１】
［一括印刷処理の第２の実施の形態］
次に、前述の図１乃至図３の構成における一括印刷処理の第２の実施の形態を説明する。図５は、本発明の第２の実施の形態の一括印刷処理フロー図である。
【００６２】
（Ｓ３０）あるクライアント端末で、開始画面を起動すると、クライアント端末は、自己のサーバ用の作業フォルダのErr.tmpファイルのエラーログ印刷フラグを参照して、エラーログが印刷済みかを判定する。印刷済みでない場合には、開始画面に、印刷未済のメッセージを出力し、オペレータにエラーログの印刷を促す。
【００６３】
（Ｓ３２）クライアント端末の開始画面には、エラーログ照会、実行等の処理をクリック選択できるアイコンが表示されている。ここで、オペレータが、照会をクリックすると、前述の図４で説明したエラーログ印刷処理が起動される。これにより、全クライアントの一括印刷が行われる。
【００６４】
（Ｓ３４）一方、オペレータは、実行をクリックすると、前述のように、データベースの更新処理が行われ、この処理において、エラーがあると、自己のサーバ用の作業フォルダのErr.tmpファイルにエラーが追記される。
【００６５】
（Ｓ３６）ステップＳ３２のエラーログ印刷後、実行をクリックし、更新処理を実行した後、又はステップＳ３４で、更新処理を実行した後、オペレータは、処理の終了をクリックし、処理終了画面を選択する。この終了画面の選択により、クライアント端末は、自己のサーバ用の作業フォルダのErr.tmpファイルのエラーログ印刷フラグを再度参照して、エラーログが印刷済みかを判定する。印刷済みであれば、終了する。
【００６６】
（Ｓ３８）一方、印刷済みでない場合には、終了画面に、エラーログ印刷催促のメッセージを出力し、オペレータにエラーログの印刷を促す。ここで、ログ印刷実行をクリックせず、終了をクリックすると、終了する。一方、ログ印刷実行をクリックすると、処理画面を終了せずに、継続し、ステップＳ３２のエラーログ印刷処理に移行する。
【００６７】
このように、エラーログの印刷忘れがあっても、処理開始画面起動時に、エラーログ印刷済みかを調べ、印刷済みでない場合、即ち、印刷忘れの場合に、エラーログ印刷を促すメッセージを表示するため、オペレータは、処理開始前に印刷忘れを認識できる。
【００６８】
同様に、処理終了画面選択において、エラーログ印刷済みかを調べ、印刷済みでない場合、即ち、印刷忘れの場合に、エラーログ印刷を促すメッセージを表示するため、オペレータは、処理終了時に、印刷忘れを認識できる。
【００６９】
このため、オペレータの印刷忘れを、自動識別し、オペレータにエラーログの印刷を促すことができ、より一括印刷の操作性が増加する。
【００７０】
［一括印刷処理の第３の実施の形態］
次に、前述の図１乃至図３の構成における一括印刷処理の第３の実施の形態を説明する。図６は、本発明の第３の実施の形態の一括印刷処理フロー図である。
【００７１】
（Ｓ４０）あるクライアント端末で、開始画面を起動すると、クライアント端末は、各クライアント端末とネットワーク接続する。ネットワーク接続できない場合（例えば、該当クライアント端末の電源がオフである等）には、対象号機のエラーログを画面に出力する。
【００７２】
（Ｓ４２）次に、クライアント端末は、接続されたクライアント端末（自端末を含む）のサーバ用の作業フォルダのErr.tmpファイルのエラーログ印刷フラグを参照して、エラーログが印刷済みかを判定する。印刷済みでない場合には、開始画面に、印刷未済のメッセージを出力し、オペレータにエラーログの印刷を促す。
【００７３】
（Ｓ４４）クライアント端末の開始画面には、エラーログ照会、実行等の処理をクリック選択できるアイコンが表示されている。ここで、オペレータが、照会をクリックすると、前述の図４で説明したエラーログ印刷処理が起動される。これにより、全クライアントの一括印刷が行われる。
【００７４】
（Ｓ４６）一方、オペレータは、実行をクリックすると、前述のように、データベースの更新処理が行われ、この処理において、エラーがあると、自己のサーバ用の作業フォルダのErr.tmpファイルにエラーが追記される。
【００７５】
（Ｓ４８）ステップＳ４４のエラーログ印刷後、実行をクリックし、更新処理を実行した後、又はステップＳ４６で、更新処理を実行した後、オペレータは、処理の終了をクリックし、処理終了画面を選択する。この終了画面の選択により、クライアント端末は、各クライアント端末とネットワーク接続する。ネットワーク接続できない場合（例えば、該当クライアント端末の電源がオフである等）には、対象号機のエラーイベントを画面に出力する。
【００７６】
（Ｓ５０）次に、クライアント端末は、接続されたクライアント端末のサーバ用の作業フォルダのErr.tmpファイルのエラーログ印刷フラグを再度参照して、エラーログが印刷済みかを判定する。印刷済みであれば、終了する。
【００７７】
（Ｓ５２）一方、印刷済みでない場合には、終了画面に、エラーログ印刷催促のメッセージを出力し、オペレータにエラーログの印刷を促す。
ここで、ログ印刷実行をクリックせず、終了をクリックすると、終了する。一方、ログ印刷実行をクリックすると、処理画面を終了せずに、継続し、ステップＳ４４のエラーログ印刷処理に移行する。
【００７８】
このように、エラーログの印刷忘れがあっても、処理開始画面起動時に、エラーログ印刷済みかを調べ、印刷済みでない場合、即ち、印刷忘れの場合に、エラーログ印刷を促すメッセージを表示するため、オペレータは、処理開始前に印刷忘れを認識できる。
【００７９】
同様に、処理終了画面選択において、エラーログ印刷済みかを調べ、印刷済みでない場合、即ち、印刷忘れの場合に、エラーログ印刷を促すメッセージを表示するため、オペレータは、処理終了時に、印刷忘れを認識できる。
【００８０】
このため、オペレータの印刷忘れを、自動識別し、オペレータにエラーログの印刷を促すことができ、より一括印刷の操作性が増加する。又、全クライアントの印刷忘れをチエックするので、自己のエラーログ印刷忘れのみならず、他のクライアント端末の印刷忘れを検出して、一括印刷できる。
【００８１】
［他の実施の形態］
上述の実施の形態では、ネットワークシステムとして、図１に示す印鑑データベース更新システムを例に説明したが、他の分野のデータベース更新システムにも適用できる。
【００８２】
又、データベースシステムのみならず、サーバと多数のクライアント端末とが接続されたネットワークシステムにおいて、オペレータの操作によりクライアントからサーバに処理を依頼し、サーバがクライアントに処理結果を返し、エラー結果がクライアントにログされるシステムにも適用できる。
【００８３】
更に、ログされるエラーを、データベースの更新エラーで説明したが、サーバからの処理エラーの通知をログするものであっても良い。
【００８４】
以上、本発明を実施の形態により説明したが、本発明の趣旨の範囲内において、本発明は、種々の変形が可能であり、本発明の範囲からこれらを排除するものではない。
【００８５】
（付記１）複数のクライアント端末とサーバとがネットワーク接続されたネットワークシステムにおける運用エラー情報の一括印刷方法において、各クライアント端末が前記サーバに依頼した処理の運用エラーを前記クライアント端末のネットワーク上で公開できるエラーログファイルに格納するステップと、前記クライアント端末から前記ネットワークを介し他のクライアント端末と自己のクライアント端末の前記エラーログファイルを前記クライアント端末に集信するステップと、前記集信したエラーログファイルから印刷ファイルを作成し、印刷するステップとを有することを特徴とする運用エラー情報の一括印刷方法。
【００８６】
（付記２）前記印刷が正常終了した時に、前記集信した各クライアント端末の前記エラーログファイルに印刷済みを設定するステップを更に有することを特徴とする付記１の運用エラー情報の一括印刷方法。
【００８７】
（付記３）前記集信ステップは、前記印刷済みが設定されたエラーログファイルを除いて、前記他のクライアント端末のエラーログファイルを集信するステップからなることを特徴とする付記２の運用エラー情報の一括印刷方法。
【００８８】
（付記４）前記集信ステップは、前記クライアント端末がネットワーク接続できない他のクライアント端末を除いて、ネットワーク接続できた他のクライアント端末のエラーログファイルを集信するステップからなることを特徴とする付記１の運用エラー情報の一括印刷方法。
【００８９】
（付記５）前記集信ステップは、前記クライアント端末に設けた管理テーブルに、前記ネットワーク接続できたクライアント端末を登録し、且つ前記管理テーブルを参照して、前記ネットワーク接続できたクライアント端末のエラーログファイルを集信するステップからなることを特徴とする付記１の運用エラー情報の一括印刷方法。
【００９０】
（付記６）前記集信ステップは、前記管理テーブルに、前記エラーログファイルを集信できた他のクライアント端末を登録するステップを更に有し、前記印刷が正常終了した時に、前記管理テーブルを参照して、前記集信した各クライアント端末の前記エラーログファイルに印刷済みを設定するステップを更に有することを特徴とする付記１の運用エラー情報の一括印刷方法。
【００９１】
（付記７）前記クライアント端末は、処理開始画面の起動により、自己のエラーログファイルが印刷済みかを判定し、前記エラーログファイルの印刷を促すステップを更に有することを特徴とする付記１の運用エラー情報の一括印刷方法。
【００９２】
（付記８）前記クライアント端末は、処理開始画面の起動により、前記ネットワークに接続された全クライアント端末のエラーログファイルが印刷済みかを判定し、前記エラーログファイルの印刷を促すステップを更に有することを特徴とする付記１の運用エラー情報の一括印刷方法。
【００９３】
（付記９）前記クライアント端末は、処理終了画面の選択により、自己のエラーログファイルが印刷済みかを判定し、前記エラーログファイルの印刷を促すステップを更に有することを特徴とする付記１の運用エラー情報の一括印刷方法。
【００９４】
（付記１０）前記クライアント端末は、処理終了画面の選択により、前記ネットワークに接続された全クライアント端末のエラーログファイルが印刷済みかを判定し、前記エラーログファイルの印刷を促すステップを更に有することを特徴とする付記１の運用エラー情報の一括印刷方法。
【００９５】
（付記１１）前記格納ステップは、前記クライアント端末が、前記サーバにデータベースの更新依頼した更新エラーを前記エラーログファイルに格納するステップからなることを特徴とする付記１の運用エラー情報の一括印刷方法。
【００９６】
（付記１２）複数のクライアント端末とサーバとがネットワーク接続されたネットワークシステムにおいて、各クライアント端末は、前記サーバに依頼した処理の運用エラーを格納するネットワーク上で公開できるエラーログファイルと、前記クライアント端末から前記ネットワークを介し集信した他のクライアント端末と自己のクライアント端末の前記エラーログファイルから作成した印刷ファイルとを有し、前記印刷ファイルを印刷することを特徴とするネットワークシステム。
【００９７】
（付記１３）前記クライアント端末は、印刷が正常終了した時に、前記集信した各クライアント端末の前記エラーログファイルに印刷済みを設定することを特徴とする付記１２のネットワークシステム。
【００９８】
（付記１４）前記クライアント端末は、前記印刷済みが設定されたエラーログファイルを除いて、前記他のクライアント端末のエラーログファイルを集信することを特徴とする付記１３のネットワークシステム。
【００９９】
（付記１５）前記クライアント端末は、前記クライアント端末がネットワーク接続できない他のクライアント端末を除いて、ネットワーク接続できた他のクライアント端末のエラーログファイルを集信することを特徴とする付記１２のネットワークシステム。
【０１００】
（付記１６）前記クライアント端末は、前記クライアント端末に設けた管理テーブルに、前記ネットワーク接続できたクライアント端末を登録し、且つ前記管理テーブルを参照して、前記ネットワーク接続できたクライアント端末のエラーログファイルを集信することを特徴とする付記１２のネットワークシステム。
【０１０１】
（付記１７）前記クライアント端末は、前記管理テーブルに、前記エラーログファイルを集信できた他のクライアント端末を登録し、前記印刷が正常終了した時に、前記管理テーブルを参照して、前記集信した各クライアント端末の前記エラーログファイルに印刷済みを設定することを特徴とする特徴とする付記１２のネットワークシステム。
【０１０２】
（付記１８）前記クライアント端末は、処理開始画面の起動により、自己のエラーログファイルが印刷済みかを判定し、前記エラーログファイルの印刷を促すことを特徴とする付記１２のネットワークシステム。
【０１０３】
（付記１９）前記クライアント端末は、処理開始画面の起動により、前記ネットワークに接続された全クライアント端末のエラーログファイルが印刷済みかを判定し、前記エラーログファイルの印刷を促すことを特徴とする付記１２のネットワークシステム。      
【０１０４】
（付記２０）前記クライアント端末は、処理終了画面の選択により、自己のエラーログファイルが印刷済みかを判定し、前記エラーログファイルの印刷を促すことを特徴とする付記１２のネットワークシステム。
【０１０５】
（付記２１）前記クライアント端末は、処理終了画面の選択により、前記ネットワークに接続された全クライアント端末のエラーログファイルが印刷済みかを判定し、前記エラーログファイルの印刷を促すことを特徴とする付記１２のネットワークシステム。
【０１０６】
（付記２２）前記クライアント端末が、前記サーバにデータベースの更新依頼した更新エラーを前記エラーログファイルに格納することを特徴とする付記１２のネットワークシステム。
【産業上の利用可能性】
【０１０７】
一括印刷のために、特別の監視端末を設けることなく、ネットワーク上の最寄りのクライアントから各クライアントの運用情報の一括印刷を実現でき、システム管理者等のオペレータの移動を必要としないため、オペレータの負担を軽減するとともに、印刷忘れを防止するのに有効である。特に、データベースの更新において、更新エラーを放置しておくと、データベースの信頼性が低下するため、更新エラーの確実で的確な印刷は、更新エラーの原因の早期究明に有効である。
【図面の簡単な説明】
【０１０８】
【図１】本発明の一実施の形態のネットワークシステムの構成図である。
【図２】図１のエラーログファイル及び印刷ファイルの構成図である。
【図３】図２の印刷後の動作説明図である。
【図４】本発明の第１の実施の形態の一括印刷処理フロー図である。
【図５】本発明の第２の実施の形態の一括印刷処理フロー図である。
【図６】本発明の第３の実施の形態の一括印刷処理フロー図である。
【符号の説明】
【０１０９】
１、２  センタ
３  インターネット
１０〜１３，２０，２２  クライアント端末
１４，１６  データベースサーバ
２４  ネットワークサーバ
２６  プリンタ
１８、２８  ＬＡＮ
３２  印刷ファイル
３４  管理テーブル
４０，４２，４４  エラーログファイル
１００，２２０，２００  サーバ用作業フォルダ
【図１】
0004707954.tif 000002
【図２】
0004707954.tif 000003
【図３】
0004707954.tif 000004
【図４】
0004707954.tif 000005
【図５】
0004707954.tif 000006
【図６】
0004707954.tif 000007